(57)【特許請求の範囲】
【請求項１】
途中を枢着自在に設けたピアス本体の一端にピンの後端を固着し、このピンの先端をピアス本体の他端に設けた挿入孔に挿入し、このピンの挿入位置を押付ける押付け機構をピアス本体に内蔵すると共に、この押付け機構は、途中を軸着した押付け片を回動自在に設け、この押付け片をばねを介して一方向に弾性付勢させて押付け片の上端で挿入孔に位置しているピンを挿入孔内に押付けてピンの挿入状態を保持するようにしたことを特徴とするピアス。
【請求項２】
前記押付け片の適宜位置に押付け片を回動させる操作部を設けた請求項１に記載のピアス。
【発明の詳細な説明】
【０００１】
【発明の属する技術分野】
本発明は、耳朶にピンを挿通させて装着するピアスに関し、特にピアスの装着状態を確実に保持させるようにしたピアスに関する。
【０００２】
【従来の技術】
従来より、この種のピアスには、各種の形態のものがあり、このピアスに設けた装着方式にも種々の形式が提案されている。そのうちの代表的なものとして、耳朶にあけたピアス孔に取付ピンを挿通し、耳朶の裏側より、キャッチと呼ばれる止着具の挿通孔に取付ピンを挿通させて係止することによって装着するピアスが知られている。
【０００３】
しかしながら、このピアスは、取付ピンとキャッチとが別体であるため、キャッチに設けられた挿通孔に取付ピンを挿通して止着するという装着行為を耳朶の裏側で行うため、取付操作が非常に面倒であった。また、取付ピンとキャッチとが別体であるために、止着具であるキャッチを紛失してしまうというおそれもあった。更に、このピアスにおいては、キャッチが耳朶の裏側に突出した状態で装着されているので、装身具としてのデザイン性にも難点がある。
【０００４】
また、一端部にピンを取り付けた環状の装飾体を軸着部材を介して一体化したものとして、例えば、特開平７−２０４０１６号公報などが開示されている。これらのピアスは、環状の装飾体の途中を軸を介して開閉可能に軸着しており、一方の狭着部材である装飾体の開放端部の耳当て板にはピンを挿通する開口部を形成し、この開口部の下部にピンの係止溝と係合する係止部を設けているのが一般である。
【０００５】
【発明が解決しようとする課題】
しかしながら、上記のピアスにおいては、ピンの先端が対向する他方の挟着部材の内周面に当接するため、繰り返し使用していくと、ピンの先端が磨耗したり、使用中に外れてしまうという不便があると共に、ピンと係止部との係合が確実に行えなくなるという問題があり、これらの欠点の解消が切望されていた。
【０００６】
本発明は、このような従来の実情に鑑みて鋭意検討の結果、開発に至ったものであり、その目的とするところは、耳朶の裏側などの取付操作がしにくいところでも、きわめて容易に着脱行為が行えると共に、確実に装着状態を保持すると共に、耐久性があることはもとより、外部に露出しないので、デザイン性にも優れたピアスを提供することにある。
【０００７】
【課題を解決するための手段】
上記の目的を達成するため、請求項１に係る発明は、途中を枢着自在に設けたピアス本体の一端にピンの後端を固着し、このピンの先端をピアス本体の他端に設けた挿入孔に挿入し、このピンの挿入位置を押付ける押付け機構をピアス本体に内蔵すると共に、この押付け機構は、途中を軸着した押付け片を回動自在に設け、この押付け片をばねを介して一方向に弾性付勢させて押付け片の上端で挿入孔に位置しているピンを挿入孔内に押付けてピンの挿入状態を保持するようにしたピアスである。
【０００８】
請求項２に係る発明は、押付け片の適宜位置に押付け片を回動させる操作部を設けたピアスである。
【０００９】
【発明の実施の形態】
以下に、本発明におけるピアスの実施形態を図面に従って説明する。図１及び図２は、耳朶Ｙに装着した状態を示したものであり、図３は、耳朶Ｙから取り外した開放状態を示したものである。図示するように、略円形リング状のピアス本体１の一方の端部には、耳朶Ｙに形成したピアス孔に挿通する耳朶挿通用ピン２の後端を固着し、他方の端部には、耳朶挿通用ピン２が挿入するための挿入孔３が形成されている。耳朶挿通用ピン２の先端部には、挿入孔３の上部に設けられた係止面３ａと係止する係止部２ａが形成されており、また、ピアス本体１ａの適宜位置に設けられた押付け機構４の押付け片５の上端部５ａで、挿入孔３を挿通した耳朶挿通用ピン２の先端の固着位置２ｂを挿入孔３の内周面３ｂに押付けて、耳朶挿通用ピン２の固着状態を保持するように構成されている。また、図示するように、このピアス本体１は、軸着部６を介して本体１ａ及び本体１ｂを開閉自在に設けて、耳朶Ｙを装入したり、脱出できるようにしている。
【００１０】
図４は、押付け機構４を示した分離斜視図であり、本体１ａの適宜位置には、押付け機構４を収納するための収納部７が本体１ａの一部を外周面から内周面に貫通して形成されており、この収納部７内には、コイルスプリング８を取り付けるための取付部９が形成されている。また、本例に限定されることなく、押付け機構４が収納でき、押付け片５が回動可能であれば、適宜深さで適宜形状の溝を形成して収納部としてもよい。本例では、コイルスプリング８を使用しているが、本例に限定されることなく、他の弾性部材であってもよい。
【００１１】
図示するように、適宜形状に形成された押付け片５を上記収納部７にはめ込むようにして収納配置し、この押付け片５に設けられた孔部５ｂと本体１ａに設けられた孔部１ｃに軸着部材１０を挿入して、この押付け片５を回動自在となるように設けると共に、図５及び図６に示すように、上記コイルスプリング８の一端を収納部７内に形成されたコイルスプリング取付部９に取り付け、他端部を押付け片５の下端に形成されているコイルスプリング取付面５ｃに取り付けて、押付け片５をこのコイルスプリング８を介して一方向に弾性付勢させている。
【００１２】
このコイルスプリング８の弾性力を利用して、押付け片５の上端部５ａで挿入孔３内に位置している耳朶挿通用ピン２の先端の固着位置２ｂを挿入孔３の内周面３ｂに押付けて、耳朶挿通用ピン２の固着状態を保持するようにしている。
【００１３】
また、押付け片５には、回動操作を行い易いようにするために操作部を設けてもよい。例えば、図７R>７に示すように、押付け片５の背面部の一部を楕円形状等の板状の摘み片１２を有する操作部１３を設けて、この摘み片１２を指で摘んで回動操作させたり、或はこの摘み片１２を爪で引っ掛けて回動操作させる。また、図８R>８に示すように、押付け片５の下端の背面部に突起部１４を有する操作部１５を設けて、この突起部１４を指または爪に引っ掛けて回動操作させる。或は、図９に示すように、押付け片の内側に開放方向に向けて押付け操作するための押部１６を有する操作部１７を設けるなど、適宜形状で適宜位置に設けることができる。
【００１４】
また、図１０及び図１１は、他の実施形態を示した図面であり、この図面にしたがって説明すると、略円形リング状のピアス本体１８の一方の端部に形成した筒部１８ａと、耳朶挿通用ピン１９の後端に形成したリング状孔部１９ａとを軸着部材２０を介して回動自在に軸着し、ピアス本体１８の他方端部には、耳朶挿通用ピン１９の先端部位が装着するための受け部２１が設けられている。
【００１５】
また、受け部２１が設けられている側のピアス本体１８の適宜位置には、先述した実施例と同様に、押付け機構２２を収納するための収納部２３が設けられており、適宜形状に形成された押付部材２４をこの収納部２３にはめ込むようにして収納配置し、この押付部材２４に設けられた孔部２４ａと本体１８に設けられた孔部１８ｂに軸着部材１０を挿入して、この押付部材２４を回動自在となるように設けると共に、コイルスプリング８の一端を収納部２３内に形成されたコイルスプリング取付部２５に取り付け、他端部を押付部材２４の後端に形成されているコイルスプリング取付面２４ｂに取り付けて、この押付部材２４をコイルスプリング８を介して一方向に弾性付勢させている。
【００１６】
図１２に示すように、押付部材２４の先端には、リング状に形成された押付け部２４ｃが設けられており、この押付け部２４ｃに形成された挿入孔２４ｄに受け部２１に装着した耳朶挿通用ピン１９の先端を挿入し、コイルスプリング８の弾性力を利用して耳朶挿通用ピン１９の装着位置１９ｂを受け部２１の装着部位２１ａに押付けて、耳朶挿通用ピン１９の固着状態を保持するように構成している。
【００１７】
次に、上記した実施例の作用を説明する。本例におけるピアスを耳朶Ｙに装着する場合は、先ず、図３に示すように、ピアス本体１を軸着部６を介して外方に拡げて耳朶Ｙを装入できる状態にする。次いで、ピアス本体１の一端に固着して設けられた耳朶挿通用ピン２を耳朶Ｙに設けられたピアス孔に挿通し、この耳朶挿通用ピン２の先端部を他方の端部に形成された挿入孔３に挿入すると、耳朶挿通用ピン２の先端に形成された係止部２ａが挿入孔３の上部に位置する係止面３ａで係止する。
【００１８】
このとき、本体１ａに設けられている押付け機構４内に内蔵されているコイルスプリングの弾性力により、押付け片５の先端部５ａが耳朶挿通用ピン２の先端の固着位置２ｂを挿入孔３の内周面３ｂに押付けて、止着するという装着手段からなるので、耳朶Ｙへの着脱が簡単に行えると共に、耳朶挿通用ピン２の固着状態を確実に保持することができる。
【００１９】
また、耳朶Ｙからピアス本体１を取り外す場合について説明すると、図６に示すように、押付け片５の下端部位を軽くＡ方向へ押すことにより、耳朶挿通用ピン２の先端の固着位置２ｂを押付けていた押付け片５の先端部５ａがＢ方向に向けて外れ、開放状態となり、図３に示すように、本体１ａ又は本体１ｂのどちらか一方を開放方向へ向けて広げるだけで、耳朶挿通用ピン２の先端部が挿入孔３から抜けるので、耳朶Ｙから簡単に取り外すことができる。また、図７から図９に示すように、押付け片５の適宜位置に適宜形状の操作部を設けることで、押付け片５の操作性が簡易になる。
【００２０】
また、他の実施例の作用について説明すると、押付部材２４の先端に、リング状に形成された押付け部２４ｃを設け、この押付け部２４ｃに形成された挿入孔２４ｄに受け部２１に装着した耳朶挿通用ピン１９の先端を挿入し、コイルスプリング８の弾性力を利用して耳朶挿通用ピン１９の装着位置１９ｂを受け部２１の装着部位２１ａに押付けて、耳朶挿通用ピン１９の固着状態を保持するという装着手段を有することで、耳朶挿通用ピン１９の固着状態を確実に保持すると共に、取り外す場合は、押付部材２４の先端を指若しくは爪で開放方向に向けて引いたり、或はコイルスプリング取付面２４ｂの背面部位を押すことで、押付部材２４の先端が開放方向へ移動し、耳朶挿通用ピン１９の先端の装着位置１９ｂを押付部材２４で押付けていた状態が解除されると共に、耳朶挿通用ピン１９が挿入孔２４ｄから抜けるので、簡単に耳朶Ｙから取り外すことができる。
【００２１】
【発明の効果】
以上のことから明らかなように、本発明のピアスは、上記した押付け機構を採用することで、耳朶の裏側という操作しにくい場所でも、装着、取り外し行為を簡単に、確実に行うことを可能とすると共に、耳朶挿通用ピンが止着部材から不用意に外れることがなく、確実に固着状態を保持することを可能にしたピアスであり、耳朶挿通用ピンを止着する押付け機構をピアス本体に内蔵しているので、外部に露出することなく、装身具として体裁が良く、コンパクトで、デザイン性及び耐久性に優れたピアスを提供することができる。
【００２２】
更に、押付け機構は、簡単な操作で押付けと解除が確実にできるため、その使用価値が極めて高く、又、構造が簡単であるから安価に量産することができる。
【図面の簡単な説明】
【図１】本発明におけるピアスの一実施例を示す正面図である。
【図２】図１における押付け機構の状態を示す一部切欠き拡大断面図である。
【図３】図１における装着状態を開放した状態を示す正面図である。
【図４】本発明におけるピアスの押付け機構を示す分離斜視図である。
【図５】図１における押付け機構の押付け片を開放した状態を示す正面図である。
【図６】図５における押付け機構の状態を示す一部切欠き拡大断面図である。
【図７】図１における押付け片に操作部を設けた状態を示す斜視図である。
【図８】図１における押付け片に他例の操作部を設けた状態を示す斜視図である。
【図９】図１における押付け片に更に他例の操作部を設けた状態を示す斜視図である。
【図１０】本発明におけるピアスの他の実施例を示す正面図である。
【図１１】図１０における装着状態を開放した状態を示す正面図である。
【図１２】図１０における本発明ピアスの押付け機構を示す分離斜視図である。
【符号の説明】
１ ピアス本体
２ 耳朶挿通用ピン
２ｂ 固着位置
３ 挿入孔
４ 押付け機構
５ 押付け片
６ 軸着部
７ 収納部
８ コイルスプリング
１３，１５，１７ 操作部
２１ 受け部
【図１】
0003790687.tif 000002
【図２】
0003790687.tif 000003
【図３】
0003790687.tif 000004
【図４】
0003790687.tif 000005
【図５】
0003790687.tif 000006
【図６】
0003790687.tif 000007
【図７】
0003790687.tif 000008
【図８】
0003790687.tif 000009
【図９】
0003790687.tif 000010
【図１０】
0003790687.tif 000011
【図１１】
0003790687.tif 000012
【図１２】
0003790687.tif 000013